(57)【特許請求の範囲】
【請求項１】
透明板と、その透明板の外周部を囲んで設けられた局排ダクトと、その局排ダクトに設けられた複数の局所吸気口と、その局排ダクト内の気体を排気する排気ダクトと、を有することを特徴とする溶剤吸気ウィンドウ。
【請求項２】
前記局所吸気口は前記透明板の外周部から内側に向けて開口していることを特徴とする請求項１記載の溶剤吸気ウィンドウ。
【請求項３】
跳ね上げ式のアームによる支持手段を有することを特徴とする請求項１または２記載の溶剤吸気ウィンドウ。
【請求項４】
下側の辺に溶剤遮蔽カーテンを有することを特徴とする請求項１〜３のいずれか記載の溶剤吸気ウィンドウ。
【請求項５】
ウェブのグラビア印刷機またはグラビア塗工機においてウェブに印刷または塗工が行われた後ウェブが乾燥器に移送される間の部分のウェブを覆うように設けられることを特徴とする請求項１〜４のいずれか記載の溶剤吸気ウィンドウ。
【発明の詳細な説明】
【０００１】
【産業上の利用分野】
本発明はグラビア印刷機またはグラビア塗工機において、印刷部または塗工部の版およびインキの状態を目視検査、あるいは、印刷部または塗工部と乾燥部との間のウェブを目視検査する場合に使用する溶剤吸気ウィンドウに関する。
【０００２】
【従来の技術】
グラビア印刷機またはグラビア塗工機においては、印刷部または塗工部で印刷または塗工を行ったウェブは次に乾燥部に移送し乾燥することが行われる。この印刷部または塗工部と乾燥部の間で、印刷または塗工が良好に行われているか否か等のウェブの状態を目視検査することや、印刷部または塗工部の状態が適性であるか否かの目視観察が行われる。図８は印刷部または塗工部と乾燥部の間の構造を模式的に示す図である。図８に示すように、印刷部または塗工部と乾燥部との間のウェブ移送経路において、そこを臨み目視検査や目視観察を行うことができる僅かな領域が確保される。この領域は印刷部または塗工部に近く、印刷インキまたは塗工液に含まれる有機溶剤が揮発または蒸発して雰囲気中を漂う。
【０００３】
【発明が解決しようとする課題】
この有機溶剤は悪臭をともなうばかりでなく、それを吸い込むと人体にとって極めて有害であり、さらに引火による爆発や火災の危険があるため、ウェブの両側に吸気ダクトを設けて有機溶剤を含む雰囲気を目視検査や目視観察を行う領域から排出することが行われる。図９は印刷部または塗工部と乾燥部との間のウェブ移送経路に設けられた従来の有機溶剤の吸気ダクトを示す図である。ところが図９に示す従来の吸気ダクトにおいては、吸引力が弱いと有機溶剤を十分に吸収することができず、有機溶剤の多くが飛散することとなる。また、吸引力を強くすると、吸気ダクトの吸気口に近い部分だけ乾燥が促進され、ウェブの表面に印刷ムラあるいは塗工ムラが生じたり、ウェブがばたついたりすることとなる。
そこで本発明の目的は、ウェブの全面に均一に作用し効率良く有機溶剤を吸収し飛散が少なくしかも目視検査や目視観察を妨げることのない吸気ウィンドウを提供することにある。
【０００４】
【課題を解決するための手段】
上記目的は下記の本発明によって達成することができる。すなわち、
本発明は「透明板と、その透明板の外周部を囲んで設けられた局排ダクトと、その局排ダクトに設けられた複数の局所吸気口と、その局排ダクト内の気体を排気する排気ダクトと、を有する溶剤吸気ウィンドウ」である。本発明の溶剤吸気ウィンドウによれば、透明板によって有機溶剤を含む雰囲気が目視検査や目視観察を行うオペレータの居る領域から遮断される。また、その透明板の外周部を囲んで設けられた局排ダクトとその局排ダクトに設けられた複数の局所吸気口により、透明板を回り込んで侵入しようとする有機溶剤を含む雰囲気を阻止するとともに、透明板の内側の領域において全面に均一に作用し効率良く有機溶剤を吸収することができる。また、排気ダクトによって局排ダクトが吸気した有機溶剤を含む雰囲気が排気される。しかも、透明板を通して目視検査や目視観察を行うことができる。
【０００５】
また本発明は「前記局所吸気口は前記透明板の外周部から内側に向けて開口している溶剤吸気ウィンドウ」である。本発明の溶剤吸気ウィンドウによれば、吸気動作はこの透明板の内側の領域において全面に極めて均一に作用し効率良く有機溶剤を吸収することができる。また本発明は「跳ね上げ式のアームによる支持手段を有する溶剤吸気ウィンドウ」である。本発明の溶剤吸気ウィンドウによれば、跳ね上げ式のアームにより溶剤吸気ウィンドウを使用位置と待機位置とのいずれかに固定することができる。したがって、たとえば製造品目を切り替える場合等において、印刷部または塗工部を清掃したりその設定を変更する作業の妨げとなることがない。また本発明は「下側の辺に溶剤遮蔽カーテンを有する溶剤吸気ウィンドウ」である。本発明の溶剤吸気ウィンドウによれば、インキパン内部のインキより飛散する（蒸発または揮発する）有機溶剤が溶剤吸気ウィンドウとインキパンの隙間から前方の領域に侵入することを防止することができる。また本発明は「ウェブのグラビア印刷機またはグラビア塗工機においてウェブに印刷または塗工が行われた後ウェブが乾燥器に移送される間の部分のウェブを覆うように設けられる溶剤吸気ウィンドウ」である。本発明の溶剤吸気ウィンドウによれば、ウェブのグラビア印刷機またはグラビア塗工機において、ウェブの全面に均一に作用し効率良く有機溶剤を吸収し飛散が少なくしかも目視検査や目視観察を妨げることがない。
【０００６】
【発明の実施の形態】
次に、本発明について実施の形態により説明する。図１はグラビア印刷機においてウェブに印刷が行われた後ウェブが乾燥器に移送される間の部分に設けられた本発明の溶剤吸気ウィンドウを示す図である。図１において、１は本発明の溶剤吸気ウィンドウ、２は溶剤吸気ウィンドウ１の透明板、３は溶剤吸気ウィンドウ１の局排ダクト、４は溶剤吸気ウィンドウ１の排気ダクト、５は局排ダクト３の内側面である。また、６はグラビア印刷機のインキパン、７はグラビア印刷機のシリンダー（印刷版）、８はグラビア印刷機の乾燥ユニットのフード、９はウェブである。
【０００７】
図１に示すように、透明板２を挟んで後方の領域と前方に領域が分離される。後方の領域ではウェブ９の表面から有機溶剤が揮発または蒸発しており、後方の領域の雰囲気には有害な有機溶剤が含まれている。一方、前方の領域は透明板２によって後方の領域の雰囲気から遮断されており、前方の領域の雰囲気には有害な有機溶剤が直接侵入することはない。
【０００８】
ところが透明板２の外周部の外側は遮断されていないから、そこからは前方の領域の雰囲気に含まれる有害な有機溶剤が、そのままでは侵入することを防げない。本発明の溶剤吸気ウィンドウ１においては、透明板２の外周部に局排ダクト３を設け、その局排ダクト３の内側面５には複数の局所吸気口（好ましい実施例を図２に示し後述する）が設けられている。また、その局排ダクト３の内部の気体を排気する排気ダクト４が設けられている。したがって、排気ダクト４から排気を行うと、局所吸気口から前方の領域の有害な有機溶剤を含む雰囲気が吸い込まれる。ウェブ９の表面から揮発または蒸発した有機溶剤はこの局所吸気口によって吸い込まれる。これにより遮断されていない透明板２の外周部の外側から前方の領域の雰囲気に有害な有機溶剤が侵入することがない。
【０００９】
しかも図１に示すように、透明板２を通して背景にあるウェブ９を見ることができ、目視検査や目視観察の妨げとならない。
この透明板２は、ガラス板、あるいは、ポリエステル、ポリエチレン、ポリプロピレン、ポリカーボネート等の、透明性を有しかつ耐有機溶剤性を比較的有するプラスティックシートまたはプラスティック板を使用することができる。
【００１０】
一方、図２は本発明の溶剤吸気ウィンドウの構成を示す斜視図である。図２において、図１と同一部分には同一の番号を付す。以降、本発明を説明する図においては同様に、同一部分には同一の番号を付すものとする。図２において、１０は局所吸気口である。図２に示すように、局排ダクト３の内側面５には複数の局所吸気口１０が設けられている。この局所吸気口１０は透明板２の外周部から内側に向けて開口している。このように構成することにより、吸気動作はこの透明板２の内側の領域において全面に極めて均一に作用し効率良く有機溶剤を吸収することができる。
【００１１】
図３はウェブ９の側から見た本発明の溶剤吸引ウィンドウの斜視図である。図３において矢印は吸引する方向と大きさを示すベクトルを模式的に示したものである。局所吸気口１０により溶剤吸引ウィンドウのウェブ９の側の空間は負圧（真空）となり、ウェブ９の表面はほぼ均一の圧力となるため、吸気動作はこの透明板２の内側の領域において全面に極めて均一に作用し効率良く有機溶剤を吸収することができる。ベクトル（矢印）はその様子を模式的に示している。このように、全面に均一に吸気動作が行われるため、図９に示した従来の場合のように、ウェブが部分的に不均一に乾燥したり、ウェブがばたついたりするようなことがない。
【００１２】
図４は跳ね上げ式の移動用アームを備えた本発明の溶剤吸引ウィンドウの斜視図である。図５は跳ね上げ式の移動用アームを備えた本発明の溶剤吸引ウィンドウの配置をグラビア印刷機の印刷部とともに示した側面図である。
図４および図５において矢印（←→）は溶剤吸引ウィンドウの移動方向を示している。跳ね上げ式の移動用アーム１１の一方の端部は溶剤吸引ウィンドウ１を支持しており、他方の端部は支持軸回りに回動自在にグラビア印刷機のフレーム（図示せず）に支持されている。図に示すように、溶剤吸引ウィンドウ１は支持軸（図示せず）を中心として円弧を描いて、使用位置と待機位置の２つの位置を移動可能に構成される。その移動は、油圧シリンダー、空気シリンダー等を利用する周知の機構によって実現することができる。
【００１３】
図４においては、跳ね上げ式の移動用アーム１１は溶剤吸引ウィンドウ１を一方の側で支えるように示してあるが、溶剤吸引ウィンドウ１の両方の側で支えるようにしてもよい。また排気ダクト４は、可撓性のあるチューブ等によって構成し溶剤吸引ウィンドウ１の移動の妨げとならないようにするか、あるいは、排気ダクト４に結合部を設け、使用位置においてはその結合部において延長上のダクトと結合し、待機位置においては延長上のダクトと分離するように構成される。結合部の構造は、排気ダクト４と延長上のダクトとをラバー等の弾性材料を介して突き合わせるような簡単な構造によって実現することができる。
図５に示すように、溶剤吸引ウィンドウ１が待機位置にある場合には、印刷部に直接接触するような作業を行うことができる。したがって、たとえば製造品目を切り替える場合等において、印刷部を清掃したりその設定を変更する作業の妨げとなることがない。
【００１４】
図６は溶剤遮蔽カーテンを設けた本発明の溶剤吸気ウィンドウを示す図である。図６において、１２は溶剤遮蔽カーテンである。図６に示すように、溶剤吸気ウィンドウ１の下側の辺に取り付けた溶剤遮蔽カーテン１２を設けることにより、インキパン内部のインキより飛散する（蒸発または揮発する）有機溶剤が溶剤吸気ウィンドウとインキパンの隙間から前方の領域に侵入することを防止することができる。この溶剤遮蔽カーテン１２は、耐溶剤性を有し柔軟性のあるシートが好ましく、透明性を有すればさらに好ましい。材質としては、ポリエチレン、ポリエステル、ポリプロピレン等のシートを使用することができる。
【００１５】
また、図７は溶剤遮蔽カーテンを設けた本発明の溶剤吸気ウィンドウ１の待機位置の状態を示す図である。図７において、１３は溶剤遮蔽カーテン１２の自由端の部分を溶剤吸気ウィンドウ１の本体部分に着脱可能に固定する固定部である。固定部としては着脱可能であれば特に制限はないが、たとえば、クリップ、マジックテープ、蝶つがい等が用いられる。
図７に示すように、溶剤吸気ウィンドウ１の待機位置の状態において、溶剤遮蔽カーテン１２の自由端の部分を固定することにより、品目切替等の作業を行う場合において、溶剤遮蔽カーテン１２が作業の妨げとなることがないようにすることができる。
【００１６】
【発明の効果】
以上のように本発明の溶剤吸気ウィンドウによれば、透明板によって有機溶剤を含む雰囲気が目視検査や目視観察を行うオペレータから遮断される。また、その透明板の外周部を囲んで設けられた局排ダクトとその局排ダクトに設けられた複数の局所吸気口により、透明板を回り込んで侵入しようとする有機溶剤を含む雰囲気を阻止するとともに、透明板の内側の領域において全面に均一に作用し効率良く有機溶剤を吸収することができる。また、排気ダクトによって局排ダクトが吸気した有機溶剤を含む雰囲気が排気される。しかも、透明板を通して目視検査や目視観察を行うことができる。
【００１７】
また局所吸気口は透明板の外周部から内側に向けて開口している本発明の溶剤吸気ウィンドウによれば、吸気動作はこの透明板の内側の領域において全面に極めて均一に作用し効率良く有機溶剤を吸収することができる。また跳ね上げ式のアームによる支持手段を有する本発明の溶剤吸気ウィンドウによれば、跳ね上げ式のアームにより溶剤吸気ウィンドウを使用位置と待機位置とのいずれかに固定することができる。したがって、たとえば製造品目を切り替える場合等において、印刷部または塗工部を清掃したりその設定を変更する作業の妨げとなることがない。また下側の辺に溶剤遮蔽カーテンを有する本発明の溶剤吸気ウィンドウによれば、インキパン内部のインキより飛散する（蒸発または揮発する）有機溶剤が溶剤吸気ウィンドウとインキパンの隙間から前方の領域に侵入することを防止することができる。またウェブのグラビア印刷機またはグラビア塗工機においてウェブに印刷または塗工が行われた後ウェブが乾燥器に移送される間の部分のウェブを覆うように設けられる本発明の溶剤吸気ウィンドウによれば、ウェブのグラビア印刷機またはグラビア塗工機において、ウェブの全面に均一に作用し効率良く有機溶剤を吸収し飛散が少なくしかも目視検査や目視観察を妨げることがない。
【図面の簡単な説明】
【図１】グラビア印刷機においてウェブに印刷が行われた後ウェブが乾燥器に移送される間の部分に設けられた本発明の溶剤吸気ウィンドウを示す図である。
【図２】本発明の溶剤吸気ウィンドウの構成を示す斜視図である。
【図３】ウェブ９の側から見た本発明の溶剤吸引ウィンドウの斜視図である。
【図４】跳ね上げ式の移動用アームを備えた本発明の溶剤吸引ウィンドウの斜視図である。
【図５】跳ね上げ式の移動用アームを備えた本発明の溶剤吸引ウィンドウの配置をグラビア印刷機の印刷部とともに示した側面図である。
【図６】溶剤遮蔽カーテンを設けた本発明の溶剤吸気ウィンドウを示す図である。
【図７】溶剤遮蔽カーテンを設けた本発明の溶剤吸気ウィンドウ１の待機位置の状態を示す図である。
【図８】印刷部または塗工部と乾燥部の間の構造を模式的に示す図である。
【図９】印刷部または塗工部と乾燥部との間のウェブ移送経路に設けられた従来の有機溶剤の吸気ダクトを示す図である。
【符号の説明】
１  溶剤排気ウィンドウ
２  透明板
３  局排ダクト
４  排気ダクト
５  局排ダクトの内側面
６  インキパン
７  シリンダー
８  乾燥フード
９  ウェブ
１０  局所吸気口
１１  跳ね上げ式の移動用アーム
１２  溶剤遮蔽カーテン
１３  固定部
【図１】
0003710881.tif 000002
【図２】
0003710881.tif 000003
【図３】
0003710881.tif 000004
【図４】
0003710881.tif 000005
【図５】
0003710881.tif 000006
【図６】
0003710881.tif 000007
【図７】
0003710881.tif 000008
【図８】
0003710881.tif 000009
【図９】
0003710881.tif 000010